(57)【特許請求の範囲】
【請求項１】
天井板と共に使用するための電気器具であって、
前記天井板は、天井格子と、該天井格子に取り付けられる天井パネルとを含み、
当該電気器具は、ライトバーを含み、
該ライトバーは、
該ライトバー内に適合するよう構成される複数のモジュール方式の複合的なＬＥＤランプを含み、
前記モジュール方式の複合的なＬＥＤランプを保持する少なくとも１つの取付部分を含み、長手軸が前記取付部分に沿って長さ方向に延び、
前記取付部分の両側から外向きに延びる一対の天井係合フランジ部材を含み、
前記取付部分は、前記長手軸の方向において２つの端部を含み、
該２つの端部は、それらが前記長手軸に対して前記天井係合フランジ部材の間に配置されるように中心的に配置され、
前記ライトバーは、前記天井パネルの少なくとも１つに形成される切口内に適合されるように構成され、前記ライトバーの側方縁部は、前記切口を形成する隣接する天井パネル片の側方縁部に取り付けられ、
前記取付部分の前記２つの端部は、前記天井係合フランジ部材のいずれの部分も前記取付部分の前記２つの端部から外向きに延びないように、前記長手軸の前記方向において前記天井係合フランジ部材を越えて延び、
前記ライトバーは、前記２つの端部によって前記天井格子に直接的に支持され、前記天井係合フランジ部材の少なくとも１つは、前記天井パネルの１つを直接的に支持し、
前記２つの端部は、前記天井格子によって堅固に適合され且つ保持されるように構成される、
電気器具。
【請求項２】
前記ライトバーは、凹部ベースを有し、該凹部ベースは、天井より上での電力源への接続のために、配線が前記凹部ベースを通じるのを可能にするよう構成される、請求項１に記載の電気器具。
【請求項３】
前記一対の天井係合フランジ部材は、前記取付部分の下方部分に位置付けられる、請求項１に記載の電気器具。
【請求項４】
当該電気器具は、天井板の側方縁部と天井アルミニウム格子と前記取付部分の前記２つの端部との間に取り付けられ、前記一対の天井係合フランジ部材は、前記天井格子に対して配置される、請求項３に記載の電気器具。
【請求項５】
天井格子と該天井格子によって支持される複数の天井パネルとを含む天井板と、
該天井板との使用のための電気器具とを含む、
天井板組立体であって、
前記電気器具は、ライトバーで構成され、
該ライトバーは、
光照明のための少なくとも１つの光源モジュールを含み、
該光源モジュールを保持する少なくとも１つの取付部分を含み、長手軸が前記取付部分に沿って長さ方向に延び、
該取付部分の両側から外向きに延びる一対の天井係合フランジ部材を含み、
前記取付部分は、前記長手軸の方向において２つの端部を含み、
該２つの端部は、それらが前記長手軸に対して前記天井係合フランジ部材の間に配置されるように中心的に配置され、
前記取付部分の前記２つの端部は、前記天井係合フランジ部材のいずれの部分も前記取付部分の前記２つの端部から外向きに延びないように、前記長手軸の前記方向において前記天井係合フランジ部材を越えて延び、
前記ライトバーは、前記天井パネルの少なくとも１つに形成される切口内に適合され、前記ライトバーの側方縁部は、前記切口を形成する前記天井パネルの隣接する側方縁部に取り付けられ、
前記ライトバーの前記２つの端部は、標準的な天井格子によって堅固に適合され且つ保持されるよう特に構成され、
前記ライトバーは、前記２つの端部によって前記天井格子に直接的に支持され、前記天井係合フランジ部材の少なくとも１つは、前記天井パネルの１つを直接的に支持し、
電源への接続のために前記電気器具に電気的に結合される配線が、前記天井板より上に維持され、
前記天井係合フランジ部材の少なくとも１つは、前記天井格子と直接的に接触せず、
前記一対の天井係合フランジ部材は、前記取付部分の下方部分に位置付けられる、
天井板組立体。
【発明の詳細な説明】
【技術分野】
【０００１】
本発明は、天井板の上の光源取付具(light  fittings)に関し、特に、金属バー内に配置されるモジュール化された（モジュール方式の）複合ＬＥＤランプランプのような照明取付具に適用可能である。本発明において例示される組立体は、簡単な構造という利点を有する。
【背景技術】
【０００２】
従来、天井板は、天井より下に懸架される金属トラックの形態の交差する部材の格子（グリッド）を含む。金属トラックは、それらの下方端部に水平フランジを有し、そられは天井パネルを支持するのに使用される。天井パネルより上に形成される空洞は配電線を通すのに使用され、様々な種類の光源取付具を配電線(electrical  service  wire)に接続し得る。典型的には、格子トラック上に配置される取付具に蛍光管を取り付け、格子トラックは、ほぼ間隔の大きさであり、よって、その間隔内のパネルを置換する。
【０００３】
しかしながら、ハロゲン光源のような電球が使用されるとき、取付具はより小さく、よって、パネルは全体的に取り外されない。その代わり、修正されたパネルが使用され、光源取付具は、パネルの上に直接的に取り付けられるか、或いは、補助トラックがパネルの下で天井に締結され、パネルは配電線が光源に接続するための孔を有する。
【０００４】
従って、既存の天井にランプを取り付けるときには幾らかの費用が伴う。何故ならば、天井パネルは修正パネルと交換されなければならないからである。取付具が天井パネルより下に配置されるときでさえ、天井空洞から電気ケーブルを通すために、パネルは依然として修正されなければならない。ハロゲンランプは比較的高い電力要求を有し、結果的に、比較的大きなワイヤを必要とし、それらが天井パネルより下に現れることは目障りであると考えられる。
【発明の概要】
【発明が解決しようとする課題】
【０００５】
従って、本発明は、一部の実施態様において、天井板構成に取り付け可能であり、ＬＥＤランプがライトバーに固定的に埋め込まれる、モジュール方式の複合ランプのような電気取付具を提供することを目的とする。ＬＥＤライトバーは、標準的な天井格子によって堅固に適合され且つ保持されるので、記述する天井照明組立体の方法は、既存の天井パネル又は類似構成部品の修正又は交換を必要としない。
【課題を解決するための手段】
【０００６】
本発明の第一の特徴によれば、金属バーで構成され、金属バーは金属バー内に埋め込まれる複数のＬＥＤランプを備える、電気器具が提供される。
【０００７】
ＬＥＤライトバーは、天井板内に取り付けられることが意図される。ＬＥＤバーは、２つの隣接する端部で天井板によって堅固に適合され且つ保持される天井板の部材への取付けのために特に適合される。
【０００８】
ＬＥＤライトバーは、天井板に手で解放可能に固定され、それらを天井板に係合し得るよう構成される。係合手段、正に、バー全体を、天井板の位置付けを妨げないように十分に小さな厚さのアルミニウム材料で作製し得る。
【０００９】
電気装置、この場合には、ＬＥＤランプは、天井より上に隠されることが意図される電源に接続されるＬＥＤバーから現れる配線(wiring)を有する電気器具を更に含む。
【００１０】
本発明の第二の特徴によれば、天井板上の格子の一部を形成するよう配置される複数のＬＥＤランプを含む単一の金属バーを備える懸架天井格子が提供される。天井板の上の任意の場所に取付具を配置し、引き続き、望ましければ、天井板への如何なる残留損傷をも伴わずに移動し得る。
【００１１】
本発明の第三の特徴によれば、ランプ取付具を天井板の２つの片（ピース）の間に取り付けるステップと、天井板がワイヤによって実質的に移動させられないような方法において、トラックとトラックの上に位置する天井板との間の間隙を通じて、取付具から天井板より上の電源に向かってワイヤを走らせるステップとを含む、天井板によって定められる空間内に適合される天井パネルを有する種類の懸架天井の上にランプ取付具を取り付ける方法が提供される。
【００１２】
天井の如何なる構成部品への更なる変更をも伴わずに、本発明の実施態様に従ったランプ取付具を既存の天井に適用し得る。
【００１３】
本発明は１２．５ワットの範囲内の低電力消費のために特に着想される。
【００１４】
本発明の他の利点は、比較的低い電力要求を必要とし、結果的に、比較的小さなワイヤを必要とし、天井パネルより上の外観が小綺麗で秩序立ったワイヤ配置を描く、天井板の上への天井照明の容易且つ便利な取り付けである。
【００１５】
本発明のより良好な理解のために、並びに、それがどのように実現するかを実証するために、添付の図面を参照して、その実施態様を記載する。
【図面の簡単な説明】
【００１６】
【図１】ランプ固定具の取付け前の天井板を示す概略図である。
【図２】ライトバーの等角図と共に本発明に従ったライトバー内のランプ取付具の配置を示す概略図である。
【図３】電源に接続される光源取付具を示す概略図である。
【図４】天井板に取り付けられるランプ取付具を示す概略図である。
【発明を実施するための形態】
【００１７】
図１において、より一般的にはオフィス内で使用される天井板１は、２つの片（ピース）に切断される。次に、複数のＬＥＤランプ３が容易に固定的に埋め込まれたライトバー２が、第一天井板１ａの壁の側方縁部に取り付けられる。ライトバー２は、平面において概ね長方形の形状を有する。隣接する天井板１ａ，１ｂに固定されるＬＥＤライトバー２の取付けのために、天井板の僅かな部分(fraction)が切り取られることが理解されよう。
【００１８】
ライトバー２の内側に適合されるＬＥＤランプ３のベースは凹部を有し、配線４が、凹部内で、図３に示される電源５に接続される。電源５は、天井の内側に隠されることが意図される。
【００１９】
次に、第二天井板１ｂが、隣接するＬＥＤライトバー２に取り付けられ、それらの各々は、ＬＥＤライトバー２の接触表面と天井板の接触表面とが共に付着される断面を有し、ＬＥＤライトバー２の２つの端部６ａ，６ｂは、標準的な天井格子（天井グリッド）によって堅固に適合され且つ保持されるよう構成され、図２及び図４に示すように、それは天井が適合される部屋の居住者に見える部分を形成する。
【００２０】
記述した取付具は甚だ目立たず、ランプを天井に固定する小綺麗でありながら安価な方法をもたらし、パネルの如何なる修正も、格子内への穿孔も伴わない。その上、パネルは、パネルと天井との間を通る薄いワイヤ（線）によって邪魔されない。
【００２１】
本発明は、天井格子の外側の周りでの締付け又は摩擦係合を伴う、非破壊的な方法によって器具を天井格子に固定するので、第１に、器具を天井格子上のどこにでも随意に適合し得る。第２に、穿孔又は中間取付具は不要である。これは便利であり且つ天井の建材(fabric)を維持する。
【図２】
0005944381.tif 000002
【図１】
0005944381.tif 000003
【図３】
0005944381.tif 000004
【図４】
0005944381.tif 000005